(57)【要約】【課題】軸方向に短小化できて、複数台を直列状に連結することも容易となり、且つ、各構成部材を自由に取替えることにより、多様な揚送物の性状に適応した有効な揚送を行わせることのできる、ユニット式中空軸ポンプの提供。【解決手段】ステータ２内に嵌合されたロータの軸心を中空軸３として該中空軸３の内周面に液体移送手段４ａ（４ｂ）を設けた送液ユニット１Ａ（１Ｂ）と、中空軸３の始端開口部へ通じる吸込口１２を開設してなる吸込ユニット１１Ａと、中空軸３の終端開口部へ通じる吐出口１４を開設してなる吐出ユニット１３Ａとの組合せからなり、単一または直列状に連接された複数の送液ユニット１Ａ（１Ｂ）の始端部へ吸込ユニット１１Ａを当接させると共に終端部へ吐出ユニット１３Ａを当接して、定着材１５により前記各ユニットが組立分割自在に連結されるよう構成する。【選択図】        図４
2006170154.tif 000002
【特許請求の範囲】
【請求項１】
ステータ内に嵌合されたロータの軸心を中空軸として回転時にその前端から後方へ向う液体移送手段を前記中空軸の内周面に設けてなる送液ユニットと、前記中空軸の始端開口部へ通じる吸込口を開設してなる吸込ユニットと、前記中空軸の終端開口部へ通じる吐出口を開設してなる吐出ユニットとの三種類のユニットの組合せからなり、単一または直列状に連接された複数の送液ユニットの始端部へ吸込ユニットを当接させると共に終端部へ吐出ユニットを当接させた状態により、定着材により前記各ユニットが組立分割自在に連結されるよう構成したことを特徴とする、ユニット式中空軸ポンプ。
【請求項２】
ステータ内に嵌合されたロータの軸心を中空軸として回転時にその前端から後方へ向う液体移送手段を前記中空軸の内周面に設けてなる送液ユニットと、前記中空軸の始端開口部へ通じる吸込口を開設してなる吸込ユニットと、前記中空軸の終端開口部へ通じる吐出口開設してなる吐出ユニットとの三種類のユニットの組合せからなり、単一または直列状に連接された複数の送液ユニット複数組使用して並列状に配列された各送液ユニットの始端部へ単一の吸込ユニットを一連状に当接させると共に終端部へそれぞれ吐出ユニットを当接させた状態により、定着材により前記各ユニットが組立分割自在に連結されるよう構成したことを特徴とする、ユニット式中空軸ポンプ。
【請求項３】
ステータ内に嵌合されたロータの軸心を中空軸として回転時にその前端から後方へ向う液体移送手段を前記中空軸の内周面に設けてなる送液ユニットと、前記中空軸の始端開口部へ通じる吸込口を開設してなる吸込ユニットと、前記中空軸の終端開口部へ通じる吐出口を開設してなる吐出ユニットとの三種類のユニットの組合せからなり、単一または直列状に連接された複数の送液ユニット複数組使用して並列状に配列し、これら並列状に配列された各送液ユニットの始端部へそれぞれ吸込ユニットを当接させると共に終端部へ単一の吐出ユニットを一連状に当接させた状態により、定着材により前記各ユニットが組立分割自在に連結されるよう構成したことを特徴とする、ユニット式中空軸ポンプ。
【請求項４】
ステータ内に嵌合されたロータの軸心をを中空軸として回転時にその前端から後方へ向う液体移送手段を前記中空軸の内周面に設けてなる送液ユニットと、前記中空軸の始端開口部へ通じる吸込口を開設してなる吸込ユニットと、前記中空軸の終端開口部へ通じる吐出口開設してなる吐出ユニットとの三種類のユニットの組合せからなり、単一または直列状に連接された複数の送液ユニット複数組使用して並列状に配列された各送液ユニットの始端部へ単一の吸込ユニットを一連状に当接させると共に終端部へ単一の吐出ユニットを一連状に当接させた状態により、定着材により前記各ユニットが組立分割自在に連結されるよう構成したことを特徴とする、ユニット式中空軸ポンプ。
【請求項５】
送液ユニットは、各種形態の液体移送手段を中空軸内周面に設けたものが複数種類用意されており、揚送対象物の性状に適応したものを必要に応じ選択して組立てられることを特徴とする、請求項１ないし４記載のユニット式中空軸ポンプ。
【請求項６】
吸込ユニットおよび吐出ユニットは、各種形態の吸込口および吐出口構造液を有するものが複数種類用意されており、揚送対象物の性状に適応したものを必要に応じ選択して組立てられることを特徴とする、請求項１ないし５記載のユニット式中空軸ポンプ。
【請求項７】
複数台のユニット式空軸ポンプが各送液ユニットの外側部に付設された連結手段により、並列状に連結されるよう構成したことを特徴とする、請求項１ないし６記載のユニット式中空軸ポンプ。
【請求項８】
各送液ユニットにおけるステータ端面と中空軸の開口端面とがほぼ面一状に構成されていることを特徴とする、請求項１ないし７記載のユニット式中空軸ポンプ。
【発明の詳細な説明】
【技術分野】
【０００１】
本発明は、ユニット式中空軸ポンプに関するものである。
【背景技術】
【０００２】
従来の中空軸ポンプは、液体移送手段を内装した送液部材が、吸込カバーおよび吐出カバーと一体状に結合した態様に構成されており、使用時に揚送物の性状に適したように、各構成部材を自由に取替えて対応することはできない構造となっている。また、送液ブレードを設けた中空軸の開口端がステータ端面よりも長く伸延されていて、ポンプ全長を短く構成することができない構造でもある（例えば、特許文献１参照。）。
【０００３】
上述のような従来の中空軸ポンプは、単にポンプ自体の全長を短く構成できないというだけではない。揚程を高くするため複数台を直列状に連結させる場合に、揚送部材同士を直接連結させることはできず、吸込カバーと吐出カバーを介しての連結となるため、全長の長さは極めて長大となり、必然的に連結台数が制約されることになる。また、各構成部材を自由に取替えることができない結果として、多様な揚送物の性状に適応した有効な揚送を行わせるためには、製造当初からそれぞれの用途ごとに専用に設計されたポンプが必要となる。
【特許文献１】特開昭４７−２９９０３号公報（第１図）
【発明の開示】
【発明が解決しようとする課題】
【０００４】
解決しようとする課題は、軸方向に短小化できて、複数台を直列状に連結することが容易となり、また、各構成部材を自由に取替えることによって、多様な揚送物の性状に適応した有効な揚送を行わせることのできる、ユニット式中空軸ポンプを提供することである。
【課題を解決するための手段】
【０００５】
本発明では、ステータ内に嵌合されたロータの軸心を中空軸として回転時にその前端から後端から後方へ向う液体移送手段を前記中空軸の内周面に設けてなる送液ユニットと、前記中空軸の始端開口部へ通じる吸込口を開設してなる吸込ユニットと、前記中空軸の終端開口部へ通じる吐出口を開設してなる吐出ユニットとの三種類のユニットの組合せからなり、単一または直列状に連接された複数の送液ユニットの始端部へ吸込ユニットを当接させると共に終端部へ吐出ユニットを当接させた状態により、定着材により前記各ユニットが組立分割自在に連結されるよう構成したことを最も主要な特徴とする。
【発明の効果】
【０００６】
本発明ユニット式中空軸ポンプによれば、送液ユニットが吸込ユニットおよび吐出ユニットと組立分割自在に連結されているので、多様な揚送物の性状に適応した部材を選択して有効な揚送を行わせることができ、また、液体移送手段を設けた中空軸の開口端面をステータ端面とほぼ面一状に構成することにより送液ユニットを軸方向に短小化でき、直列状に複数配列して揚程を高めることも容易であり、また、各送液ユニットの回転数を可変として揚送対象物の性状に見合った状態で運転させることもできる。また、単一の吸込ユニットに複数の送液ユニットを並列状に連結することで揚水量を増大させるなど、多様な使い方が可能である。
【発明を実施するための最良の形態】
【０００７】
ステータ内に嵌合されたロータの軸心を中空軸として回転時にその前端から後方へ向う液体移送手段を前記中空軸の内周面に設け中空軸の開口端面をステータ端面とほぼ面一状に構成してなる送液ユニットと、前記中空軸の始端開口部へ通じる吸込口を開設してなる吸込ユニットと、前記中空軸の終端開口部へ通じる吐出口を開設してなる吐出ユニットとの三種類のユニットの組合せからなり、単一または直列状に連接された複数の送液ユニットの始端部へ吸込ユニットを当接させると共に終端部へ吐出ユニットを当接させた状態により、定着材により前記各ユニットが組立分割自在に連結され、且つ、送液ユニットは各種形態の液体移送手段を中空軸内周面に設けたものが複数種類用意されており、揚送対象物の性状に適応したものを必要に応じ選択して組立てられるよう構成する。
【実施例１】
【０００８】
図１および図４において、１Ａは送液ユニットであり、ステータ２内に嵌合されたロータの軸心を中空軸３としてその内周面に送液ブレードを設けることにより、回転時にその前端から後方へ向う液体移送手段４ａが形成され、且つ、中空軸３の開口端面をステータ２の端面とほぼ面一状に構成し、または中空軸３をステータ２よりも若干短小に構成する。図２および図４において、１Ｂは前記とは異なる液体移送手段を有する送液ユニットであり、ステータ２内に嵌合されたロータの軸心を中空軸３としてその内周面を例えば螺旋状に曲成された全通過口径型に構成することにより、回転時にその前端から後方へ向う液体移送手段４ｂが設けられたことになる。その他、揚送対象物の性状に適応させた各種形態の液体移送手段を有する複数種類の送液ユニットが用意される。なお、図１および図２において、６はステータコイル、７はロータコイル、８はベアリング、９はシール材、１０は天板である。図４において、１１Ａは吸込ユニットであり、前記中空軸３の始端開口部へ通じる吸込口１２が開設されているが、単純な円筒状のものに限らず、周壁がテーパ状に曲成されたもの（図示せず）、或いはストレーナ付きのもの（図示せず）、その他、揚送対象物の性状に適応させた各種形態の吸込口構造を有する吸込ユニットが複数種類用意される。図３および図４において、１３Ａは吐出ユニットであり、前記中空軸３の終端開口部へ通じる吐出口１４が開設されているが、吸込ユニットとの取付座と吐出口１４間は前記中空軸３の終端開口径よりも拡大円筒状に限らず、中空軸３の終端開口径と同径もしくは小径円筒状(図示せず)または周壁がテーパ状に曲成された円錐状のもの（図示せず）、或いは吐出口１４終端がフランジまたはねじ込み形状のもの(図示せず)、その他揚送物の性状に適応させた各種形態の吐出口構造を有する吐出ユニットが複数種類用意しておくことが望ましい。
【０００９】
図４は、送液ブレードからなる液体移送手段４ａを有する送液ユニット１Ａを最前端に位置させ、螺旋状に曲成された全通過口径型の液体移送手段４ｂを有する送液ユニット１Ｂ，１Ｂを後接させて直列状に連接し、最前端の送液ユニット１Ａの前面に吸込ユニット１１Ａを当接させると共に最後端の送液ユニット１Ｂの後面に吐出ユニット１３Ａを当接させた状態により、定着材１５を用いて前記各ユニットを組立分割自在に連結させた事例である。この構成により、各送液ユニットごとに回転数を可変できるので、例えば、最前端の送液ユニット１Ａは攪拌を主目的とした回転数とし、後続の送液ユニット１Ｂ，１Ｂは揚送を主目的とした回転数とするなど、揚送対象物の性状に見合った態様で使用することができる。単一の送液ユニット１Ａもしくは１Ｂの前面に吸込ユニット１１Ａを当接させると共に後面に吐出ユニット１３Ａを当接させた状態により定着材１５を用いて連結させてもよい。或いは、同種の送液ユニット１Ａ・・１Ａもしくは１Ｂ・・１Ｂのみを直列状に複数連接させ、最前端の送液ユニット１Ａの前面に吸込ユニット１１Ａを当接させると共に最後端の送液ユニット１Ｂの後面へ吐出ユニットを当接させた状態により、定着材１５を用いて前記各ユニットが組立分割自在に連結させてもよい。このように複数の送液ユニットを直列状に配列させたことにより、揚程を高くすることができる。
【実施例２】
【００１０】
揚水量を増大させたい場合は、複数の送液ユニット１Ａ・・１Ａまたは１Ｂ・・１Ｂを並列状に配列し、これら並列状に配列された送液ユニット１Ａ・・１Ａまたは１Ｂ・・１Ｂの前面に単一の吸込ユニット１１Ｂを一連状に当接させると共に後面へそれぞれ吐出ユニット１３Ａ・・１３Ａまたは単一の吐出ユニット１３Ｃを当接させた状態により、定着材１５を用いて連結させる。複数の吐出口１４・・１４からそれぞれ異なる場所へ同時揚送させてもよいが、吐出口１４を１箇所にまとめこともできる。図５は、揚程が高められるよう直列状に多段連接された複数の送液ユニット１Ａ・・１Ａまたは１Ｂ・・１Ｂを複数組使用して並列状に配列し、各最前端の送液ユニットの前端に単一の吸込ユニット１１を一連状に当接させると共に各最後端の送液ユニットの後面へそれぞれ吐出ユニット１３Ａ・・１３Ａを当接させた状態により、定着材を用いて連結させた事例であり、また、図７は前記送液ユニットの後面へ当接されているそれぞれの吐出ユニット１３Ａ・・１３Ａに替わり単一の吐出ユニット１３Ｃを一連状に当接させた状態により、定着材を用いて連結させた事例である。
【実施例３】
【００１１】
並列に設けられた複数の槽や水溝などから揚水する場合は複数の送液ユニット１Ａ・・１Ａまたは１Ｂ・・１Ｂを並列状に配列し、これら並列状に配列された送液ユニット１Ａ・・１Ａまたは１Ｂ・・１Ｂの前面へそれぞれ吸込ユニット１１Ａ・・１１Ａを当接させる共に後面に単一の吐出ユニット１３Ｂを当接させた状態により、定着材１５を用いて連結させる。吐出口１４を１箇所にまとめてもよいが、複数の吐出口１４・・１４からそれぞれ異なる場所へ同時揚送させることもできる。図６は、揚程が高められるよう直列状に多段連接された複数の送液ユニット１Ａ・・１Ａまたは１Ｂ・・１Ｂを複数組使用して並列状に配列し、各最前端の送液ユニットの前端にそれぞれ吸込ユニット１１Ａ・・１１Ａを当接させると共に各最後端の送液ユニットの後面へ単一の吐出ユニット１３Ｂを一連状に当接させた状態により、定着材を用いて連結させた事例である。
【実施例４】
【００１２】
実施例１ないし３に示されたようにして組立てられたユニット式中空軸ポンプは図８に示すよう、各送液ユニット１Ａ・・１Ａまたは１Ｂ・・１Ｂの外側部に付設された連結手段１６・・１６により、並列状に連結させることもできる。なお、連結手段１６・・１６の具体的構造については図示のものに限定されることはない。
【図面の簡単な説明】
【００１３】
【図１】本発明中空軸ポンプにおける送液ユニットの縦断側面図であって、送液ブレードからなる液体移送手段を中空軸内に設けた事例を示す。
【図２】本発明中空軸ポンプにおける送液ユニットの縦断側面図であって、螺旋状に曲成さた全通過口径型の液体移送手段を中空軸内に設けた事例を示す。
【図３】本発明中空軸ポンプの平面図である。
【図４】本発明中空軸ポンプの縦断側面図である。
【図５】各送液ユニットの最終端部にそれぞれ吐出ユニットを当接させて並列状に配列された複数の送液ユニットの最始端部へ単一の吸込ユニットを一連状に当接させた事例を示す側面図である。
【図６】各送液ユニットの最始端部にそれぞれ吐出ユニットを当接させて並列状に配列された複数の送液ユニットの最終端部へ単一の吐出ユニットを一連状に当接させた事例を示す側面図である。
【図７】各送液ユニットの最終端部に単一の吐出ユニットを一連状に当接させて並列状に配列された複数の送液ユニットの最始端部へ単一の吸込ユニットを一連状に当接させた事例を示す側面図である。
【図８】各送液ユニットの外側部に付設された連結手段により並列状に連結された状態を示す平面図である。
【符号の説明】
【００１４】
１Ａ    送液ユニット
１Ｂ    送液ユニット
２      ステータ
３      中空軸
４ａ    液体移送手段
４ｂ    液体移送手段
１１Ａ    吸込ユニット
１１Ｂ    吸込ユニット
１２      吸込口
１３Ａ    吐出ユニット
１３Ｂ    吐出ユニット
１３Ｃ    吐出ユニット
１４      吐出口
１５      定着材
１６      連結手段
【図１】
2006170154.tif 000003
【図２】
2006170154.tif 000004
【図３】
2006170154.tif 000005
【図４】
2006170154.tif 000006
【図５】
2006170154.tif 000007
【図６】
2006170154.tif 000008
【図７】
2006170154.tif 000009
【図８】
2006170154.tif 000010